(57)【特許請求の範囲】
【請求項１】
面上で複数個を連結することにより環状となる湾曲形状の枠部材の２個を、所定の間隔で上下対向に配置すると共に、対向させた前記枠部材の両端部どうしを柱状の連結材で剛結して立設状の枠体を構成し、
該枠体の複数個を立設配置して筒状体にすると共に、前記枠体の各連結材どうしを長さ方向の移動を自在に構成した連係部材で連係することにより、前記各枠体をそれぞれ個別に上下動自在にして連係させたことを特徴としたフレコンバッグ用スタンド。
【請求項２】
前記筒状体が、円筒体であることを特徴とした請求項１記載のフレコンバッグ用スタンド。
【請求項３】
前記枠部材の湾曲形状が、円形３分割形状であることを特徴とした請求項２記載のフレコンバッグ用スタンド。
【請求項４】
前記円形３分割が、円形等分割であることを特徴とした請求項３記載のフレコンバッグ用スタンド。
【請求項５】
前記１個の枠体の構成において、
離隔配置した前記枠部材の間に１又は複数個の棒状又は面状の補強部材を配設したことを特徴とした請求項１、２、３、又は４記載のフレコンバッグ用スタンド。
【請求項６】
前記１個の枠体の構成において、
両端部に配置した連結材を前記枠部材と同じ曲線で結ぶ棒状の保形部材を配設したことを特徴とした請求項１、２、３、又は４記載のフレコンバッグ用スタンド。
【発明の詳細な説明】
【技術分野】
【０００１】
本願発明は、フレコンバッグ（フレキシブルコンテナバッグ）と略称される可撓性のある袋体を、上方開口状態で立設保持するスタンドに関する。
【背景技術】
【０００２】
従来から、かかるフレコンバッグは、建設現場や土木現場において、廃棄用の廃材や土砂等を収納して運搬したりする袋材として広く利用されていた。
【０００３】
このフレコンバッグは、ポリプロピレンやポリエチレン等の柔軟素材で可撓性を有する有底筒状に形成されている。また、その外側周面には吊り下げ運搬用の複数の吊ベルトが取り付けられ、かつ開口又は投入口を閉塞するための絞り紐が縁部付近に取り付けられている。使用する時は、投入作業を容易にするために上方に向けて開口した状態で立設保持する必要があった。
【０００４】
このようにフレコンバッグを立設保持するための手段としては、従来から自立保持し得るように構成したスタンド（又はフレーム）が用いられていた。例えば、特許文献１として「分解組立自在な収納袋の支持フレーム」が開示されている。これは金属製丸棒若しくはパイプから半円同形状の開口フレーム部材と補強フレーム部材を形成すると共に、両者を複数の支持フレーム部材で結合して支持フレームを形成し、この支持フレームを対面状に結合させて円柱スタンドを構成し、スタンド内面側にフレコンバッグの胴体部分を係止すると共に、上端部をスタンドの開口フレーム材で折り返すものであった。
【０００５】
また、特許文献２では「枠式ゴミ袋体保持具」が開示されている。これは略円弧状に形成されフレコンバッグが係止される掛け止め枠部と、掛け止め枠部の円弧の両端部に連設された支柱と、下部側の前記支柱間に連設された基部と、から枠状立設体を成し、この枠状立設体の複数の支柱どうしを着脱及び回動自在に嵌脱部材をもって強固に連結して構成し、特許文献１と同様にフレコンバッグを係止するものであった。
【先行技術文献】
【特許文献】
【０００６】
【特許文献１】実開平０６−３９７１４号公報
【特許文献２】特開２００５−２２７８５号公報
【発明の概要】
【発明が解決しようとする課題】
【０００７】
しかし、上記特許文献１の支持フレームは、組み合わされた複数の開口フレーム部材を、外側に折り返されたフレコンバッグの開口端を被せることによって、自立保持する構成を採っているため、フレーム自体の保形力に問題があった。つまり、投入物の投入時の反動や偏り、またフレコンバッグの膨脹によっては組み合わせたフレームどうしが容易に分離してしまう問題があった。
【０００８】
また、特許文献２では、略円形又は略半円形、略円弧状若しくはコ字状に形成されゴミ袋体（フレコンバッグを含む）が係止する掛け止め枠部を単一体で形成し、又はこれらを組合せた枠体を主要構成としている。このため、組合せには連結用の嵌脱部材を用いているが、この部材では組み付け時に一体化した剛結合と同等の連結構成の枠体となっていた。このため、工事現場などのように設置面が凹凸や起伏の激しい不整地であったり、若しくは石や解体物が底面枠部に挟まったりした場合には、当該保持具の立設状態が不安定になるおそれがあった。加えて、一体形や開示されている２分割体では分解時に嵩張るため、保管性や移動性にも問題があった。
【０００９】
そこで、本願発明は、上記課題に着目してなされたものであり、フレコンバッグ用スタンドにおいて、使用環境によっても安定した連係状態を保持できると共に、凹凸や起伏の激しい不整地な設置面であっても安定した立設保持が確保できるフレコンバッグ用スタンドを提供する。
【課題を解決するための手段】
【００１０】
上記の課題を解決するため本願発明に係るフレコンバッグ用スタンド（以下、「スタンド」と略称する。）は、以下のように構成している。
【００１１】
すなわち、スタンドは、面上で複数個を連結することにより環状となる湾曲形状の枠部材の２個を、所定の間隔をもって上下対向に配置すると共に、対向させた前記枠部材の両端部どうしを柱状の連結材で剛結して立設状の枠体を構成し、該枠体の複数個を立設配置して筒状体にすると共に、前記枠体の各連結材どうしを長さ方向の移動を自在に構成した連係部材で連係することにより、前記各枠体をそれぞれ個別に上下動自在にして連係させたことを特徴としている。
【００１２】
枠体の複数が連係して成る筒状体としては、特に円筒体に形成することが好適である。その一方で、筒状体であれば、断面が三角形の筒状体、矩形の柱状体、その他の多角形の筒状体に形成するようにしても良い。
【００１３】
また、枠部材の湾曲形状は、円筒体に形成した場合、高さ調整がし易い点を考慮し、円形３分割形状とすることが好適であり、収納性や部材の歩留まりを考慮した場合には、円形３分割が円形等分割であるとより好適である。
【００１４】
さらに、上記１個の枠体の構成においては、離隔配置した枠部材の間に１又は複数個の棒状又は面状の補強部材を配設しても良い。棒状の補強部材としては、部品点数の削減を考慮して上記連結材と同じものを用いることが好適である。また、面状の補強部材としては、スタンドの重量増加を考慮して網状板を用いることが好適である。
【００１５】
加えて、枠体の構成においては、部品点数の削減及び剛性向上に資するように、両端部に配置した連結材を前記枠部材と同じ曲線で結ぶ棒状の保形部材を配設しても良い。保形部材としては、部品点数の削減を考慮して上記枠部材と同じもの若しくは一部を切断したものを用いることが好適である。
【発明の効果】
【００１６】
上記構成のスタンドは、各枠体が筒状体を成すように連係しつつ相互に連結材の長さ方向に沿って移動できる。このため、スタンドを３個の枠体で円筒状に構成して使用する場合、凹凸や起伏の激しい不整地、石や木材等の異物がある地面、又は傾斜面に設置した際に、３個の枠体の接地側の枠部材を適宜に上下動させることができ、所謂３点支持による安定した立設状態を確保できる。
【００１７】
この結果、スタンドに係止することにより保持されたフレコンバッグは、上方開口の投入口を安定させた状態で保持でき、フレコンバッグへの投入作業の効率性が向上する。また、分解時には枠体どうしを重ね配置できるため保管性だけでなく持ち運び時の移動性も向上する。
【図面の簡単な説明】
【００１８】
【図１】本願発明に係るスタンドの外観を示す斜視図と一部拡大図である。
【図２】図１のＶ方向からの矢視図（Ａ）と、ＡＡ線断面図（Ｂ）である。
【図３】本願発明に係るスタンドの組立平面図である。
【図４】本願発明に係るスタンドの組立斜視図と一部拡大図である。
【図５】本願発明に係るスタンドの作用説明図である。
【図６】本願発明に係るスタンドの枠体の重ね状態を示す斜視図である。
【図７】本願発明に係るスタンドの枠体のバリエーションを示す斜視図（Ａ）、（Ｂ）、（Ｃ）である。
【発明を実施するための形態】
【００１９】
以下に、本願発明に係るスタンドの最良の実施例を図面に基づき詳細に説明する。以下の説明では、図面の上下をスタンドの「上下」と定義して用いる。
【００２０】
図１の図符号１は、本実施例に係るスタンドである。このスタンド１の機能及び目的は、建設現場や土木現場等の廃棄材や土砂等を内部に収納可能な可撓性のあるフレコンバッグＢを所定状態で保持することである。スタンド１のフレコンバッグＢの保持態様は、図１に示すように、その投入口Ｂ１が上方を向くように端部を折り返しつつ上方に向かって開口させた状態でスタンド１に係止し、この状態を維持するように立設させるものである。
【００２１】
本実施例のスタンド１は、３つの枠体２を連係部材５によって連係させ、円筒体の外観を呈するワイヤーフレーム構造（骨組み構造）を成している。
【００２２】
まず、枠体２は、所定の湾曲形状を成す同形状の一対（２個）の枠部材３を、上下方向に所定間隔で対向配置すると共に、その両端部どうし及び中央部どうしを柱状の連結材４で剛結、例えば、溶接等で固定することにより曲面板状を成すフレーム材に構成している。
【００２３】
ここで、枠部材３及び連結材４は軽量化のために同径同厚の金属製の丸パイプから形成しているが、フレコンバッグＢに重量物を収納する場合には剛性向上を考慮して丸パイプから丸棒に変更しても良い。また、枠部材３は面上で複数個の端部どうし連結若しくは当接させると、円筒体の上部又は下部の円形部分に位置する円弧状の部材となる。さらに、枠部材３は、前記円形部分をほぼ３等分割した長さ及び角度で曲げ形成している。一方、連結材４は円筒体の母線部分に沿った配置となり、言わば支柱的な外観を呈する。
【００２４】
次に、円筒状の枠体２を形成するための枠部材３の連係は、各枠体２に対して隣接する連結材４どうしを上下方向に平行に並列させ、この状態にて連係可能な連係部材５をもって行っている。
【００２５】
連係部材５は、各枠体２の一方端側の連結材４の上下端近傍の２箇所に固定配置されている。その構成は、円弧を成す枠部材３の延長方向へ延出する板材であって、連結材４の側面から少なくとも連結材４の外形以上の幅と長さをもって平行延出して成る側面部材５１と、この側面部材５１の開放端部を閉じるように横断させて配置する横断ピン５２と、から構成している。
【００２６】
この連係部材５は、側面部材５１の開放側から他の枠体２の連結材４を平行状態で並立させると共に、その側面を両側から挟み込むようにした後、開放側を横断ピン５２で閉じるように作用する。横断ピン５２で閉じた後は、横断ピン５２の頭部側に係合させたリング５２ａを回転（矢印ａ）させ、２枚の側面部材５１をリング５２ａで囲うようにする。このリング５２ａと側面部材５１の位置関係によって、横断ピン５２が側面部材５１から外れることを防止している。
【００２７】
上記の連係部材５による連係関係により、連係した枠体２の連結材４どうしは、その長さ方向に沿った移動、別言すれば、上下動自在（矢印ｃ）となっている。また、３個の枠体２の連係が完了する前であれば、２個の枠体２どうしは回動自在（ｂ）となり、枠体２どうしを連係させる作業が容易となる。
【００２８】
上記構成のスタンド１は、各枠体２の円周方向の連係が横断ピン５２による抜け止めによって強固である一方、上述のように各枠体２が個別に上下動自在となっている。これにより、スタンド１は砕石の凹凸や起伏の激しい不整地な設置面において、適宜に各枠体２を相互に上下動させて３点支持による安定した立設状態とすることができる。この結果、フレコンバッグＢを係止後の立設状態の安定性に資するだけでなく、投入物の投入時や投入後にフレコンバッグＢへの偏りや反動等の物理的作用が発生しても、相互に分離することなく円筒体を維持できることになる。
【００２９】
なお、スタンド１の分解は、横断ピン５２のリング５２ａを回転させて抜け止めを解除した後に、側面部材５１から横断ピン５２を引き抜くだけの簡便な作業で完了する。加えて、各枠体２を同一形状に形成しているため、図６に示すように、重ね配置もできて保管性が向上し、さらには連結材等を紐や番線（ワイヤー）で結束すれば搬送性（移動性）も向上する。
【００３０】
なお、本実施例のスタンド１の枠体２は、枠部材３が２個、連結材４が３個をもって構成しているが、適宜な補強部材６、７や保形部材８を追加配置しても良い。
【００３１】
例えば、図７に示すように、連結材４と同等の棒状補強部材６を枠部材間に配置しても良く、枠部材３と連結材４とが囲う空間に適宜な網板状の網状補強部材７を配置して剛性を向上させるようにしても良い。また、剛性向上の観点から、枠部材３と同じ曲線から成る保形部材８を配置しても良い。
【００３２】
加えて、連係部材５の配置個数についても、２個から枠体２どうしの上下動自在な機能を妨げない範囲で適宜に増減することが可能である。
【符号の説明】
【００３３】
１  スタンド
２  枠体
３  枠部材
４  連結材
５  連係部材
５１  側面部材
５２  横断ピン
５２ａ  リング
６  棒状補強部材
７  網状補強部材
８  保形部材
Ｂ  フレコンバッグ
Ｂ１  投入口
【要約】
【課題】フレキシブルコンテナバッグ（フレコンバッグ）用のスタンドにおいて、使用環境によっても、構成部材が分離などせずに安定した連係状態を保持できると共に、凹凸や起伏の激しい不整地な設置面であっても安定した立設保持が確保できるフレコンバッグ用スタンドを提供する。
【解決手段】スタンド１は、面上で複数個を連結することにより環状となる湾曲形状の枠部材３の２個を、上下方向に所定間隔をもって対向配置すると共に、対向させた両端部及び中央どうしを連結材４で剛結して枠体２を構成し、この枠体の複数個を用いて、連結材どうしを長さ方向に沿った移動が可能となるように連係部材５をもって連係させて円筒体に形成している。上記枠部材の湾曲形状は、高さ調整がし易いように円形３分割形状となるようにその長さと湾曲角度を調整している。
【選択図】図１【図１】
0006644392.tif 000002
【図２】
0006644392.tif 000003
【図３】
0006644392.tif 000004
【図４】
0006644392.tif 000005
【図５】
0006644392.tif 000006
【図６】
0006644392.tif 000007
【図７】
0006644392.tif 000008